(57)【特許請求の範囲】
【請求項１】
平面横長長方形状の収納空間部を有する一定高さの格納箱内に断面円形状のホースを格納箱内の下端から上方に向かって格納箱の内壁面に弾接させながら一重の螺旋状に巻き上げ収納していると共に該ホースの基端部を格納箱に装着している給水栓弁に接続してあり、さらに、螺旋状に巻き上げた上記ホースの最上段から上方における格納箱の前面にホース引出口を設けてこのホース引出口の後方側の格納箱上端部内にホースの先端に取付けているノズルを着脱自在に装着した消火装置において、上記格納箱の前面側が全面的に開口していると共に該開口部に、格納箱内に収納された上記螺旋状に巻き上げているホースの高さよりも長いホースガードを格納箱の底面板の前端両側部から立設してあり、これらのホースガードの上端間を水平ホースガードで一体に連結すると共に該水平ホースガードの両端部を後方に屈曲させてその後端を格納箱の背面板の上部両側面に固定し、この水平ホースガードと格納箱の天面板との間に前方に向かって開口した上記ホース引出口を形成していることを特徴とする消火装置。
【請求項２】
平面横長長方形状の収納空間部を有する一定高さの格納箱内に断面円形状のホースを格納箱内の下端から上方に向かって格納箱の内壁面に弾接させながら一重の螺旋状に巻き上げ収納していると共に該ホースの基端部を格納箱に装着している給水栓弁に接続してあり、さらに、螺旋状に巻き上げた上記ホースの最上段から上方における格納箱の前面にホース引出口を設けてこのホース引出口の後方側の格納箱上端部内にホースの先端に取付けているノズルを着脱自在に装着した消火装置において、上記格納箱の前面開口端に高さが格納箱内に収納された上記螺旋状に巻き上げているホースの高さよりも高いホースガード板を張設し、このホースガード板に人手が挿入可能な複数個の透孔を穿設していると共に該ホースガード板の上端と格納箱の天面板との間に上記ホース引出口を形成していることを特徴とする消火装置。
【発明の詳細な説明】
【０００１】
【発明の属する技術分野】
本発明は、各ビルなどの建築物の通路壁や橋、トンネル、公共施設などに設置する消火装置の改良に関するものである。
【０００２】
【従来の技術】
従来から、建物内に設置される消火装置としては種々の構造のものがあるが、構造を簡易にして比較的狭小な場所にも設置でき、且つ素早い消火活動を可能にし得る消火装置が要望され、この要望を満たすために、ホースリールを用いることなく前面開口部をホース引出口に形成しているホース格納箱内に断面円形状の消火ホースを外周側から内周側に向かって多列、多重層に巻装し、最外層の消火ホースの基端を消火栓に接続すると共に最内層側の消火ホースの先端にノズルを取付けて、消火時に消火ホースの内層側から外層側に向かって順次繰り出すように構成したものが開発されている。
【０００３】
【発明が解決しようとする課題】
しかしながら、消火ホースは格納箱内の外周側から内周側に向かって多列、多重層に巻層されているので、内周側に巻装された消火ホースは外周側に巻装された消火ホースの湾曲による弾性復元力よりも大きくなって外周側の消火ホースに強く圧着すると共に外周側の上下消火ホース間に内周側の消火ホースがその圧着力により食い込んで形崩れが発生し、円滑な引き出しが阻害されることになる。その上、このような外周側のホースに対する内周側のホースの圧着力は消火時において消火栓弁を開放してホースに消火水を流入させた時にその水圧で一層大きくなり、上下のホース間に絡み込んだりしてホースの繰り出しが円滑に行われず、迅速性を必要とする消火活動に支障をきたすという問題点がある。
【０００４】
また、製作時或いは消火作業が終了した場合において、消火ホースを格納箱内に収納するには、まず、格納箱の上下左右の内壁面に接してホースを前後方向に螺旋巻きしたのち、この螺旋巻きホース層の内周に接して該ホースを前後方向に螺旋巻きし、この作業を内周方に向かって繰り返し行って多列、多重層に巻層しなければならないためにその作業に著しい手間を要するばかりでなく、先に螺旋巻きしたホース間に次に螺旋巻きするホースが介入したりして正確に巻装することが困難であり、消火時において上述したように円滑な引き出しが行えなくなる。さらに、消火作業が終了したのち、上述したように多列、多重層に巻層すると、ホース内に残存している消火水が下側の湾曲ホース部内に滞留し、水抜きが行えないという問題点が生じるものである。
【０００５】
本発明はこのような問題点に鑑みてなされたもので、その目的とするところは構造が簡単で且つ建物の壁面等の狭いスペースにコンパクトに設置し得ると共に消火活動時には一定の引き出し力によって格納箱から円滑にホースを繰り出すことができ、さらに、格納箱内へのホースの収納が容易に且つ安定した形態となるように収納できると共に消火作業が終了して格納箱内に収納した際にホース内の水抜きが自動的に行われる消火装置を提供するにある。
【０００６】
【課題を解決するための手段】
上記目的を達成するために本発明の消火装置は、請求項１に記載したように、平面横長長方形状の収納空間部を有する一定高さの格納箱内に断面円形状のホースを格納箱内の下端から上方に向かって格納箱の内壁面に弾接させながら１重の螺旋状に巻き上げ収納していると共に該ホースの基端部を格納箱に装着している給水栓弁に接続してあり、さらに、螺旋状に巻き上げた上記ホースの最上段から上方における格納箱の前面にホース引出口を設けてこのホース引出口の後方側の格納箱上端部内にホースの先端に取付けているノズルを着脱自在に装着した消火装置において、上記格納箱の前面側が全面的に開口していると共に該開口部に、格納箱内に収納された上記螺旋状に巻き上げているホースの高さよりも長いホースガードを格納箱の底面板の前端両側部から立設してあり、これらのホースガードの上端間を水平ホースガードで一体に連結すると共に該水平ホースガードの両端部を後方に屈曲させてその後端を格納箱の背面板の上部両側面に固定し、この水平ホースガードと格納箱の天面板との間に前方に向かって開口した上記ホース引出口を形成してなる構造を有している。
【０００７】
請求項２に係る発明は上記請求項１に記載のホースガードに替えて格納箱の前面板を格納箱内に収納された上記螺旋状に巻き上げているホースの高さよりも高いホースガード板によって形成とし、このホースガード板に人手が挿入可能な複数個の透孔を穿設していることを特徴とするものである。
【０００８】
【作用及び効果】
消火装置は前面上端部にホース引出口を設けている格納箱内にホースを一重螺旋状に収納してなるものであるから、構造が簡単であると共に製作が容易であり多量生産に適するのは勿論、格納箱はホース収納空間部を平面横長長方形状の偏平な形状に形成しているので、建物の通路に沿った壁面等に設置しても通行の邪魔になることはない。さらに、ホースの先端に取付けているノズルは格納箱の上記ホース引出口から直視できる上端部内に装着しているので、引出口を通じて該ノズルを素早く取り出して直ちに消火作業を行うことができる。
【０００９】
その上、ホースは格納箱内の下端から上方に向かって格納箱の内壁面に弾接させながら一重の螺旋状に巻き上げ収納しているものであるから、従来の多重層巻きのようなホースの絡み合いなどが生じることなくホースが全長に亘って一定の弾接力でもって格納箱の内壁面に保持された状態となり、最上段側のホース部から下段側のホース部を一定の引き出し力で引き上げながら順次円滑に且つ整然と規則正しく引出口から引き出すことができ、迅速な消火活動が可能となる。
【００１０】
また、消火作業が終了してホースを格納箱内に収納する場合には、ホースを格納箱の内壁面に弾接させながら内底部から順次上方に向かって一重に螺旋巻きしていけばよいので、簡単に収納することができると共にホースが格納箱の内壁面にその弾性力によって圧接して形崩れが生じることなく安定した状態に収納することができ、しかも、ホース内に残存している消火水は螺旋巻きされたホース内を上端側から下端側に向かって流下し、該ホースの基端を消火栓弁から取り外すことによってその基端開口部から排出させることができる。
【００１１】
さらに、ホース収納空間部を平面横長長方形状に形成しているので、ホースを格納箱内に螺旋巻き状に収納した場合、ホースの円弧状湾曲部と格納箱の隅角部の内面との間に平面三角形状の空隙部が設けられ、従って、この空隙部を有効に利用して該空隙部を通じてホースの基端側を下端から上方に向かって配設することができ、格納箱の上端部に装着している給水栓弁に簡単に接続し得ると共に空隙部内に配設したホースの基端部はホースの引き出しには何等の障害になる虞れはないばかりでなく、その上、上段から最下段のホース部まで引き出した際に、該基端部を最下段のホース部に引き続いて円滑に引き出すことができる。
【００１２】
上記格納箱の前面壁を、ホースの最上段までの高さよりも長いホースガードを格納箱の底面板の前端両側部から立設することによって形成しているので、格納箱内に一重螺旋巻き状に収納されたホースの前周部との接触面積を著しく小さくすることができ、従って、消火作業時におけるホースの引き出しが一層軽快に行うことができて迅速な消火活動が可能となるものであり、その上、このホースガードの上端間を水平ホースガードで一体に連結すると共に該水平ホースガードの両端部を後方に屈曲させてその後端を格納箱の背面板の上部両側面に固定しているので、格納箱の上端部前面に開口しているホースの引出口からノズルを取り出してホースを引き出すと、格納箱内に螺旋巻き状に収納されているホースはその上段側から上記水平ホースガードに案内されながら該水平ホースガードの上周面を伝って前方に引き出され、従って、ホースが絡み合うことなく一定の引き出し力でもって円滑に引き出すことができる。
【００１３】
さらに、格納箱内へのホースの収納時には、底面板から立設したホースガード間の空間部を利用し、該空間部に外部から作業員の手を格納箱内に挿入して格納箱に収納されるホースを順次１巻き状に湾曲させながら多段に積み重ねる作業を正確に行うことができ、格納箱内へのホースの収納作業が容易に行えるものである。
【００１４】
請求項２に係る発明は上記請求項１に記載のホースガードに替えて格納箱の前面板を格納箱内に収納された上記螺旋状に巻き上げているホースの高さよりも高いホースガード板によって形成とし、このホースガード板に人手が挿入可能な複数個の透孔を穿設した構造としているものであり、請求項１に係る発明と同様にホースガード板に設けている透孔から格納箱内を手を挿入して格納箱内へのホースの収納作業を容易に行うことができる。
【００１５】
【発明の実施の形態】
本発明の実施の形態を実施例を示す図面について説明すると、図１及び図２は例１の消火装置を示すもので、長方形状の天面板1aと底面板1b及び両側面板1c、1cとで縦長長方形の枠体を形成すると共にこの枠体の後側開口部に背面板1dを張設、固着して横幅が800mm 、高さが1300mm、奥行きが200mm の格納箱１を形成してあり、この格納箱１の前側開口端部には底面板1bの前端縁両側部から金属製小径管よりなるホースガード２、２を立設してこれらのホースガード２、２で格納箱１の前面壁を形成し、ホースガード２、２と両側面板1c及び背面板1dとで囲まれた空間部を平面横長長方形状のホース収納空間部３に形成している。
【００１６】
さらに、上記ホースガード２の長さ（高さ）は格納箱１の収納空間部３に収納されるホースＡの巻き上げ高さよりも僅かに長く形成されていると共にこれらのホースガード２、２の上端間に同じく金属製小径管からなる水平ホースガード2aを架設して該水平ホースガード2aの両端部を溶接等によって一体に固着してあり、ホースガート２、２から外側方に突出した該水平ホースガード2aの両端部を後方に屈曲させてその後端を格納箱１の背面板1dの上部両側面に固着している。そして、格納箱１の上端部において、この水平ホースガード2aと天面板1aとの間には前方に向かって全面的に開口したホース引出口４を形成している。
【００１７】
なお、水平ホースガード2aを一体に取付けてなるホースガード２、２を格納箱１に装着するには、底面板1bの前端縁両側部上面に短筒体10を固着しておき、この短筒体10にホースガード２、２の開口下端を内嵌させて係止させたのち、水平ホースガード2aの屈曲部2c、2cの先端開口部に背面板1bの外面から螺入させた螺子を螺合させることによって行われる。
【００１８】
格納箱１の収納空間部３内に収納されたホースＡは適度な弾性を有するゴム、合成樹脂等よりなる断面円形のホースであり、湾曲させた際には元の直状に復帰しようとする弾性復元力を有している。このホースＡは格納箱１の収納空間部３内の下端から上方に向かって格納箱１の四方壁面、即ち、両側面板1c、1cと背面板1d及びホースガード２、２の内壁面に弾接させながら一重螺旋状に巻き上げることによって収納されている。従って、ホースＡはその弾性力によって外径方向に拡がろうとするのを両側面板1c、1cと背面板1d及びホースガード２、２によって規制されていると共に螺旋巻きしたホースＡの両側半円状湾曲部と横長長方形状の収納空間部３の四方隅角部との間に平面三角形状の空隙部５が格納箱１の上下端間に亘って形成されている。
【００１９】
６は格納箱１の上記ホース引出口４に臨ませて背面板1dの一側部上端に装着している消火栓弁で、消火用水の供給配管（図示せず）と連結、連通してあり、この消火栓弁６に格納箱１の一側後部側の空隙部５を通じて配設したホースＡの基端部A1の開口基端を接続している。又、格納箱１の上記ホース引出口４に臨ませて背面板1dの中央上端部に二股クリップよりなる支持金具７を取付けてあり、この支持金具７にホースＡの先端に取付けているノズル８を着脱自在に支持させている。
【００２０】
格納箱１の収納空間部３内に対するホースＡの収納態様を詳しく説明すると、まず、直径32mmで長さが30ｍ程度のホースＡの基端部A1の開口端を消火栓弁６に接続したのち、該基端部A1を格納箱１の上記一側後部側の隅角部内面に沿って垂下させ、底面板1b上で基端部A1に連続するホース部分を一巻き状に湾曲させて前後の水平直状部をホースガード２、２と背面板1dとの下端対向部にそれぞれ弾接させると共に両側の半円状湾曲部の頂部を両側面板1c、1cの下端対向面に当接させた平面横長長円形状の最下段ホース部a1を形成し、引き続いてこの最下段ホース部a1に連続するホース部分を上方側に向かって螺旋状に巻き上げて該最下段ホース部1a上に２段目の平面横長長円形状ホース部a2を積み重ねて形成し、以下、同様にしてホースＡを上方に向かって螺旋状に巻き上げて前後の水平直状部がホースガード２、２と背面板1dとの下端対向部にそれぞれ弾接し且つ両側の半円状湾曲部が両側面板1c、1cの下端対向面に当接すると共に上下に隣接する平面横長長円形状のホース部が互いに重なり合った一重螺旋巻き状に収納する。
【００２１】
このように収納されたホースＡの最上段のホース部anは格納箱１のホース引出口４の下端近傍部に達しており、該最上段のホース部anから延長するホースの先端部に装着したノズル８を上記支持金具７に着脱自在に取付けている。なお、格納箱１の天面板1aと底面板1b及び両側面板1c、1cとで形成している枠体の前側開口端は図２に示すように扉体９によって開閉自在に閉止されている。
【００２２】
上記のように構成した消火装置は建物の通路の側壁や公共施設などの適所等に設置され、不使用時、即ち、平常時には扉体９を閉止しておく。そして火災が発生じた場合、該扉体９を開くと、格納箱１の上端部の引出口４が露呈すると共にその引出口４から格納箱１の背面板1dの上端部前面に装着している消火栓弁６とノズル８が直視できるので、消火栓弁６を直ちに開放することができると共にノズル８を支持金具７から取り外すことができる。なお、消火栓弁６は扉体９に連動して該扉体９の開放により自動的に開弁するように構成しておいてもよい。
【００２３】
支持金具７から取り外したノズル８を格納箱１から引き出すと、格納箱１内に収納されているホースＡは、まず、その最上段のホース部が水平ホースガード２で囲まれた空間部から該水平ホースガード２上を摺接しながら格納箱１の引出口４から外部に引き出され、引き続いて次段の巻装ホース部が水平ホースガード２上に繰り出されて引出口４から連続的に引き出される。このようにホースＡが上段側から下段側に向かって順次規則正しく且つ円滑に水平ホースガード２上に伝って引出口４から引き出され、ノズル８に装着している開閉コックを開放して消火作業を行う。
【００２４】
消火作業が終了してホースＡを格納箱１内に収納するには、まず、消火栓弁６に接続しているホースＡの基端部A1を格納箱１の上記一側後部側の隅角部内面に沿って垂設したのち、上述したように、格納箱１の底面板1b上に基端部A1に連続するホース部分を一巻き状に湾曲させて平面横長長円形状の最下段ホース部a1を形成し、引き続いてこの最下段ホース部a1に連続するホース部分を順次上方側に向かって螺旋状に巻き上げたのち、ノズル８を支持金具７に装着すればよい。このホース収納作業はホースＡを水平ホースガード2aで囲まれた空間部から平面横長長方形状の収納空間部３内に引き戻しながら、両側の立設ホースガード２、２間及び格納箱１の両側面板1cとホースガード２との間の空間部に作業員が手を挿入して上記のように下端から上端に向かってホースＡを連続螺旋状に巻き上げていくことよって行われる。
【００２５】
なお上記のように構成した格納箱１において、その底面板1bの幅方向の中央両側部に図３に示すようにホースガード２よりもやゝ高さの低い垂直ガイド棒11、11を立設しておいてもよい。このように構成すれば格納箱内へのホースの収納時に、ホース収納空間部３からホースをこれらのガイド棒11、11間に螺旋状に掛け渡しながら巻き付けていけば、ホースがガイド棒11、11間に掛け渡された状態に巻き付けられたのち直ちにその弾性復元力で拡径して一巻き毎に順次格納箱の内壁面に弾接させることができ、弾接した一巻きのホース部分を上記ホースガード２、２間の空間部から人手により順次下方に引き下げれば、上下段のホース部分が互いに積層した状態となり、ホースの収納作業が能率よく行えるものである。
【００２６】
図４、図５は消火装置の別な実施例を示すもので、この消火装置は上記実施例において、格納箱１の前面壁を構成している小径管からなるホースガード２、２に代えて金属板からなるホースガード板21を用いているものである。即ち、格納箱１の前面開口端に高さが格納箱１の収納空間部３に収納されるホースＡの巻き上げ高さよりも僅かに高く形成されているホースガード板21を張設して格納箱１の前面壁を形成し、このホースガード板21の上端と天面板1aの前端縁との間にホース引出口４を形成していると共にホースガード板21の上端両側部と格納箱１の背面板1dの上部両側部間に規制棒22、22を固着してこれらの規制棒22、22とホースガード板21及び背面板1dで囲まれた空間部を通じて格納箱１の収納空間部３に一重螺旋状に積み上げ収納しているホースＡを引き出し可能に構成している。
【００２７】
さらに、上記ホースガード板21には両側部の上下及び中間部に小判形状の透孔23を穿設してあり、消火装置の組立時又は消火作業が終了した際に、ホースＡを規制棒22、22間の空間部から平面横長長方形状の収納空間部３内に引き戻しながら、上記透視23から格納箱１内に人手を挿入して上記実施例におけるホースガード２、２間の空間部を利用した場合と同様に、下端から上端に向かってホースＡを連続螺旋状に巻き上げてホースＡを収納するものである。なお、ホースガード板21の両側端部は後方に向かって収納ホースＡの半円状彎曲前周部に沿うように屈曲させ、その屈曲端を格納箱１の両側面板1c、1cに固着させている。その他の構成については上記図１、図２で示した実施例と同様であるので、同一符号を付してその説明を省略する。
【００２８】
また、この実施例においても図６に示すように、格納箱１の底面板1bの幅方向の中央両側部にホースガード板21よりもやゝ高さの低い垂直ガイド棒11、11を立設しておき、上記同様にホース収納時における作業が円滑に行えるように構成しておいてもよい。なお、上記いずれの実施例で示した格納箱１においても図７に示すように収納したホースＡが当接している両側面板1c、1cと背面板1dの内面に周方向に小間隔毎に複数条の縦突条12を設けておき、これらの縦突条12に収納ホースＡを弾接させておくことが好ましい。このように構成しておくことによって格納箱１の内壁面に対するホースＡの摺接摩擦力が小さくなり、ホースＡの引き出しが一層軽快にして迅速に行うことができる。
【００２９】
図８は上記図１で示したホース格納箱の変形例を示すもので、この格納箱1'は天面板を設けることなく横長長方形状の底面板1bの両端に一定高さの両側面板1c、1cを一体に設けていると共にこれらの底面板1bと両側面板1c、1cで囲まれた後側開口端に背面板1dを張設、固着してなるものである。
【００３０】
この格納箱1'においてはその底面板1bの前端縁両側部に背面板1dの高さに略等しい長さを有する金属製小径管からなるホースガード２、２を立設すると共にこれらのホースガード２、２の上端間に同じく金属製小径管からなる水平ホースガード2aを架設して溶接等により一体に固着し、ホースガート２、２から外側方に突出した該水平ホースガード2aの両端部を後方に屈曲させてその後端を格納箱１の背面板1dの上端部両側前面に固着している。
【００３１】
上記格納箱1'は、背面板34の上端部前面に消火栓弁６とノズル支持金具７を備えている格納庫30内に出し入れ自在に収納されて消火装置を構成している。この格納庫30は天面板31と底面板32及び両側面板33、33とで縦長長方形の枠体を形成すると共にこの枠体の後側開口部に上記背面板34を張設、固着し、且つ前面開口端に開閉扉（図示せず）を開閉自在に設けてなり、この格納庫30内に格納箱1'を収納した場合、格納庫30の天面板31の前端部と格納箱1'の水平ホースガード2aとの間に上記実施例同様にホース引出口４を形成してこのホース引出口４の後方側に上記消火栓弁６とノズル支持金具７を臨ませているものである。
【００３２】
なお、上記図４で示した格納箱１においても、上端を全面的に開口し且つ背面板1dの高さとホースガード板21の高さを等しく形成してなる格納箱に形成し、この格納箱を上記格納庫30に対して出し入れ自在に収納した構造としておいてもよい。
【００３３】
このように、消火装置を格納庫30とこの格納庫30にカセット式に出し入れ自在な格納箱1'とで構成しておけば、製造時や消火作業終了時においてホースＡを格納箱1'に収納する際に、この格納箱1'を格納庫30から外部に出してその上端開口部を全面的に開放させた状態とすることができるので、該格納箱1'の上端開口部からホースＡを格納箱1'内に下端から上端に向かって一重の螺旋巻き状に積み上げながら収納する作業が容易に行える。
【００３４】
なお、格納箱1'を格納庫30から外部に全体的に離脱させる場合には、ホースＡの基端部を消火栓弁６から取り外してホースＡを格納箱1'に収納する作業を行い、しかるのち、格納箱1'を格納庫30に嵌め込んでホースＡを消火栓弁６に接続する。格納庫30に収納した格納箱1'はボルト或いは適宜な固定用金具により格納庫30に固定する。又、図９に示すように、格納庫30の底面板32の前端縁に格納箱1'の下端前縁部を回動自在に枢支すると共に格納箱1'の背面板1dの上端両側部を折り畳み自在な連結金具13、13によって格納庫30の背面板34に連結し、消火作業時やホース収納時に格納箱1'を前方に傾斜状態に引き出してその上端開口部を突出させるように構成しておいてもよい。この場合、格納箱1'を前面板1aを全面閉止形状で且つ格納庫30の前端開口部を閉止可能な大きさに形成しておけば、該前面板1aを開閉扉としての役目も兼ねさせることができる。
【図面の簡単な説明】
【図１】  本発明の例１の消火装置を示す一部切欠き斜視図、
【図２】  その簡略横断面図、
【図３】  例１の変形例を示す簡略横断面図、
【図４】  本発明の例２の正面図、
【図５】  その簡略横断面図、
【図６】  例１の変形例を示す簡略横断面図、
【図７】  内壁面に縦突条を設けた格納箱の簡略横断面図、
【図８】  本発明の例３の消火装置を示す分解斜視図、
【図９】  本発明の例４の消火装置を示す簡略斜視図。
【符号の説明】
１  格納箱
２  ホースガード
３  ホース収納空間部
４  ホース引出口
５  空隙部
６  消火栓弁
７  支持金具
８  ノズル
Ａ  ホース
【図１】
0003886231.tif 000002
【図２】
0003886231.tif 000003
【図３】
0003886231.tif 000004
【図４】
0003886231.tif 000005
【図５】
0003886231.tif 000006
【図６】
0003886231.tif 000007
【図７】
0003886231.tif 000008
【図８】
0003886231.tif 000009
【図９】
0003886231.tif 000010